(57)【要約】  本発明はデータ伝送方法、ネットワーク装置及び端末装置を提供する。該方法は、第１ネットワーク装置が第１測定結果を取得し、該第１測定結果は端末装置と第１通信システムにおける該第１ネットワーク装置及び第２ネットワーク装置との間の信号品質を示すことに用いられることと、該第１ネットワーク装置が第２測定結果を取得し、該第２測定結果は該端末装置と第２通信システムにおける第３ネットワーク装置及び第４ネットワーク装置との間の信号品質を示すことに用いられ、該第１通信システムと該第２通信システムが異なる通信システムであることと、該第１ネットワーク装置が該第２ネットワーク装置に該第１測定結果及び該第２測定結果を送信することと、を含む。本発明の実施例の方法によれば、端末装置は第１通信システムにおけるネットワーク装置を切り替える必要があるとき、該第２通信システムにおける第３ネットワーク装置を変更する必要があるかどうかを把握でき、更に通信環境を向上させる。
2021502723.tif 000002
【特許請求の範囲】
【請求項１】
第１ネットワーク装置が第１測定結果を取得し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
前記第１ネットワーク装置が第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置が前記第２ネットワーク装置に前記第１測定結果及び前記第２測定結果を送信することと、を含むことを特徴とするデータ伝送方法。
【請求項２】
前記第１測定結果は前記端末装置がＡシリーズイベントに基づいてトリガーした測定結果を含むことを特徴とする請求項１に記載の方法。
【請求項３】
前記第１ネットワーク装置が第２測定結果を取得することは、
前記第１ネットワーク装置が前記第１測定結果及び前記第２測定結果を同時に受信することを含むことを特徴とする請求項１又は２に記載の方法。
【請求項４】
前記第２測定結果は前記端末装置がＢシリーズイベントに基づいてトリガーした測定結果であることを特徴とする請求項１又は２に記載の方法。
【請求項５】
前記第１ネットワーク装置が第２測定結果を取得する前に、前記方法は更に、
前記第１ネットワーク装置が前記端末装置に指示情報を送信し、前記指示情報は前記第１ネットワーク装置に前記第２測定結果を送信するように前記端末装置に指示することに用いられることを含み、
前記第１ネットワーク装置が第２測定結果を取得することは、
前記第１ネットワーク装置は前記指示情報を送信した後、前記端末装置から送信された第２測定結果を受信することを含むことを特徴とする請求項１又は２に記載の方法。
【請求項６】
前記第２測定結果は前記第３ネットワーク装置における全部又は一部のセルの測定結果及び／又は前記第４ネットワーク装置における全部又は一部のセルの測定結果を含むことを特徴とする請求項１〜５のいずれか１項に記載の方法。
【請求項７】
前記第４ネットワーク装置が前記第３ネットワーク装置に隣接することを特徴とする請求項６に記載の方法。
【請求項８】
前記第１ネットワーク装置が前記第２ネットワーク装置に変更要求を送信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記第２ネットワーク装置に要求することに用いられることと、
前記第１ネットワーク装置が前記第２ネットワーク装置から送信された前記変更要求の応答メッセージを受信することと、を更に含むことを特徴とする請求項１〜７のいずれか１項に記載の方法。
【請求項９】
前記第１ネットワーク装置が前記第２ネットワーク装置に前記第１測定結果及び前記第２測定結果を送信することは、
前記第１ネットワーク装置が前記第２ネットワーク装置に切替要求を送信し、前記切替要求は前記端末装置を前記第１ネットワーク装置から前記第２ネットワーク装置に切り替えるように前記第２ネットワーク装置に要求することに用いられ、前記切替要求が前記第１測定結果及び前記第２測定結果を含むことと、
前記第１ネットワーク装置が前記第２ネットワーク装置から送信された前記切替要求の応答メッセージを受信することと、を含むことを特徴とする請求項１〜８のいずれか１項に記載の方法。
【請求項１０】
前記第１ネットワーク装置が前記端末装置に通知情報を送信し、前記通知情報は前記端末装置に前記第３ネットワーク装置及び／又は前記第４ネットワーク装置の変更情報を通知することに用いられることを更に含むことを特徴とする請求項１〜８のいずれか１項に記載の方法。
【請求項１１】
第２ネットワーク装置が第１ネットワーク装置から送信された第１測定結果及び第２測定結果を受信し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第２ネットワーク装置が前記第１ネットワーク装置に前記第３ネットワーク装置及び／又は前記第４ネットワーク装置の変更情報を送信することと、を含むことを特徴とするデータ伝送方法。
【請求項１２】
前記第２測定結果は前記第３ネットワーク装置における全部／一部のセルの測定結果及び／又は前記第４ネットワーク装置における全部／一部のセルの測定結果を含むことを特徴とする請求項１１に記載の方法。
【請求項１３】
前記第４ネットワーク装置が前記第３ネットワーク装置に隣接することを特徴とする請求項１２に記載の方法。
【請求項１４】
前記第２ネットワーク装置が前記第１ネットワーク装置から送信された変更要求を受信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記第２ネットワーク装置に要求することに用いられることと、
前記第２ネットワーク装置が前記変更要求及び／又は前記第２測定結果に基づいて、前記変更要求の応答メッセージを生成することと、
前記第２ネットワーク装置が前記第１ネットワーク装置に前記変更要求の応答メッセージを送信することと、を更に含むことを特徴とする請求項１１〜１３のいずれか１項に記載の方法。
【請求項１５】
前記第２ネットワーク装置が第１ネットワーク装置から送信された第１測定結果及び第２測定結果を受信することは、
前記第２ネットワーク装置が前記第１ネットワーク装置から送信された切替要求を受信し、前記切替要求は前記端末装置を前記第１ネットワーク装置から前記第２ネットワーク装置に切り替えるように前記第２ネットワーク装置に要求することに用いられ、前記切替要求が前記第１測定結果及び前記第２測定結果を含むことと、
前記第２ネットワーク装置が前記第１ネットワーク装置に前記切替要求の応答メッセージを送信することと、を含むことを特徴とする請求項１１〜１４のいずれか１項に記載の方法。
【請求項１６】
端末装置が第１測定結果を取得し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
前記端末装置が第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記端末装置が前記第１ネットワーク装置に前記第１測定結果及び前記第２測定結果を送信することと、を含むことを特徴とするデータ伝送方法。
【請求項１７】
前記第１測定結果は前記端末装置がＡシリーズイベントに基づいてトリガーした測定結果であることを特徴とする請求項１６に記載の方法。
【請求項１８】
前記端末装置が前記第１ネットワーク装置に前記第１測定結果及び前記第２測定結果を送信することは、
前記端末装置が前記第１ネットワーク装置に前記第１測定結果を同時に送信するとともに、前記第１ネットワーク装置に前記第２測定結果を送信することを含むことを特徴とする請求項１６又は１７に記載の方法。
【請求項１９】
前記第２測定結果は前記端末装置がＢシリーズイベントに基づいてトリガーした測定結果であることを特徴とする請求項１６又は１７に記載の方法。
【請求項２０】
前記端末装置が前記第１ネットワーク装置に前記第１測定結果及び前記第２測定結果を送信する前に、前記方法は更に、
前記端末装置が前記第１ネットワーク装置から送信された指示情報を受信し、前記指示情報は前記第１ネットワーク装置に前記第２測定結果を送信するように前記端末装置に指示することに用いられることを含み、
前記端末装置が前記第１ネットワーク装置に前記第１測定結果及び前記第２測定結果を送信することは、
前記端末装置が前記指示情報を受信した後、前記第１ネットワーク装置に前記第２測定結果を送信することを含むことを特徴とする請求項１６又は１７に記載の方法。
【請求項２１】
前記第２測定結果は前記第３ネットワーク装置における全部又は一部のセルの測定結果及び／又は前記第４ネットワーク装置における全部又は一部のセルの測定結果を含むことを特徴とする請求項１６〜２０のいずれか１項に記載の方法。
【請求項２２】
前記第４ネットワーク装置が前記第３ネットワーク装置に隣接することを特徴とする請求項２１に記載の方法。
【請求項２３】
前記端末装置が前記第１ネットワーク装置から送信された通知情報を受信し、前記通知情報は前記端末装置に前記第３ネットワーク装置及び／又は前記第４ネットワーク装置の変更情報を通知することに用いられることと、
前記端末装置が前記通知メッセージに基づいて、前記第３ネットワーク装置及び／又は前記第４ネットワーク装置を変更することと、を更に含むことを特徴とする請求項１６〜２２のいずれか１項に記載の方法。
【請求項２４】
ネットワーク装置であって、送受信ユニットを備え、前記送受信ユニットは、
第１測定結果を取得し、前記第１測定結果は端末装置と前記ネットワーク装置及び／又は第２ネットワーク装置との間の信号品質を示すことに用いられ、前記ネットワーク装置と前記第２ネットワーク装置がいずれも第１通信システムに属することと、
第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第２ネットワーク装置に前記第１測定結果及び前記第２測定結果を送信することと、に用いられることを特徴とするネットワーク装置。
【請求項２５】
前記第１測定結果は前記端末装置がＡシリーズイベントに基づいてトリガーした測定結果を含むことを特徴とする請求項２４に記載のネットワーク装置。
【請求項２６】
前記送受信ユニットは具体的に、
前記第１測定結果及び前記第２測定結果を同時に受信することに用いられることを特徴とする請求項２４又は２５に記載のネットワーク装置。
【請求項２７】
前記第２測定結果は前記端末装置がＢシリーズイベントに基づいてトリガーした測定結果であることを特徴とする請求項２４又は２５に記載のネットワーク装置。
【請求項２８】
前記送受信ユニットは具体的に、
第２測定結果を取得する前に、前記端末装置に指示情報を送信し、前記指示情報は前記ネットワーク装置に前記第２測定結果を送信するように前記端末装置に指示することに用いられることと、
前記指示情報を送信した後、前記端末装置から送信された第２測定結果を受信することと、に用いられることを特徴とする請求項２４又は２５に記載のネットワーク装置。
【請求項２９】
前記第２測定結果は前記第３ネットワーク装置における全部又は一部のセルの測定結果及び／又は前記第４ネットワーク装置における全部又は一部のセルの測定結果を含むことを特徴とする請求項２４〜２８のいずれか１項に記載のネットワーク装置。
【請求項３０】
前記第４ネットワーク装置が前記第３ネットワーク装置に隣接することを特徴とする請求項２９に記載のネットワーク装置。
【請求項３１】
前記送受信ユニットは更に、
前記第２ネットワーク装置に変更要求を送信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記第２ネットワーク装置に要求することに用いられることと、
前記第２ネットワーク装置から送信された前記変更要求の応答メッセージを受信することと、に用いられることを特徴とする請求項２４〜３０のいずれか１項に記載のネットワーク装置。
【請求項３２】
前記送受信ユニットは更に、
前記第２ネットワーク装置に切替要求を送信し、前記切替要求は前記端末装置を前記ネットワーク装置から前記第２ネットワーク装置に切り替えるように前記第２ネットワーク装置に要求することに用いられ、前記切替要求が前記第１測定結果及び前記第２測定結果を含むことと、
前記第２ネットワーク装置から送信された前記切替要求の応答メッセージを受信することと、に用いられることを特徴とする請求項２４〜３１のいずれか１項に記載のネットワーク装置。
【請求項３３】
前記送受信ユニットは更に、前記端末装置に通知情報を送信することに用いられ、前記通知情報は前記端末装置に前記第３ネットワーク装置及び／又は前記第４ネットワーク装置の変更情報を通知することに用いられることを特徴とする請求項２４〜３２のいずれか１項に記載のネットワーク装置。
【請求項３４】
ネットワーク装置であって、送受信ユニットを備え、前記送受信ユニットは、
第１ネットワーク装置から送信された第１測定結果及び第２測定結果を受信し、前記第１測定結果は端末装置と前記第１ネットワーク装置及び／又はネットワーク装置との間の信号品質を示すことに用いられ、前記第１ネットワーク装置と前記ネットワーク装置がいずれも第１通信システムに属し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置に前記第３ネットワーク装置及び／又は前記第４ネットワーク装置の変更情報を送信することと、に用いられることを特徴とするネットワーク装置。
【請求項３５】
前記第２測定結果は前記第３ネットワーク装置における全部又は一部のセルの測定結果及び／又は前記第４ネットワーク装置における全部又は一部のセルの測定結果を含むことを特徴とする請求項３４に記載のネットワーク装置。
【請求項３６】
前記第４ネットワーク装置が前記第３ネットワーク装置に隣接することを特徴とする請求項３５に記載のネットワーク装置。
【請求項３７】
前記送受信ユニットは更に、
前記第１ネットワーク装置から送信された変更要求を受信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記ネットワーク装置に要求することに用いられることと、
前記変更要求及び／又は前記第２測定結果に基づいて、前記変更要求の応答メッセージを生成することと、
前記第１ネットワーク装置に前記変更要求の応答メッセージを送信することと、に用いられることを特徴とする請求項３４〜３６のいずれか１項に記載のネットワーク装置。
【請求項３８】
前記送受信ユニットは更に、
前記第１ネットワーク装置から送信された切替要求を受信し、前記切替要求は前記端末装置を前記第１ネットワーク装置から前記ネットワーク装置に切り替えるように前記ネットワーク装置に要求することに用いられることと、
前記第１ネットワーク装置に前記切替要求の応答メッセージを送信することと、に用いられることを特徴とする請求項３４〜３７のいずれか１項に記載のネットワーク装置。
【請求項３９】
端末装置であって、送受信ユニットを備え、前記送受信ユニットは、
第１測定結果を取得し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置に前記第１測定結果及び前記第２測定結果を送信することと、に用いられることを特徴とする端末装置。
【請求項４０】
前記第１測定結果は前記端末装置がＡシリーズイベントに基づいてトリガーした測定結果であることを特徴とする請求項３９に記載の端末装置。
【請求項４１】
前記送受信ユニットは具体的に、
前記第１ネットワーク装置に前記第１測定結果を同時に送信するとともに、前記第１ネットワーク装置に前記第２測定結果を送信することに用いられることを特徴とする請求項３９又は４０に記載の端末装置。
【請求項４２】
前記第２測定結果は前記端末装置がＢシリーズイベントに基づいてトリガーした測定結果であることを特徴とする請求項３９又は４０に記載の端末装置。
【請求項４３】
前記送受信ユニットは具体的に、
前記第１ネットワーク装置に前記第１測定結果及び前記第２測定結果を送信する前に、前記第１ネットワーク装置から送信された指示情報を受信し、前記指示情報は前記第１ネットワーク装置に前記第２測定結果を送信するように前記端末装置に指示することに用いられることと、
前記指示情報を受信した後、前記第１ネットワーク装置に前記第２測定結果を送信することと、に用いられることを特徴とする請求項３９又は４０に記載の端末装置。
【請求項４４】
前記第２測定結果は前記第３ネットワーク装置における全部又は一部のセルの測定結果及び／又は前記第４ネットワーク装置における全部又は一部のセルの測定結果を含むことを特徴とする請求項３９〜４３のいずれか１項に記載の端末装置。
【請求項４５】
前記第４ネットワーク装置が前記第３ネットワーク装置に隣接することを特徴とする請求項４４に記載の端末装置。
【請求項４６】
前記送受信ユニットは更に、
前記第１ネットワーク装置から送信された通知情報を受信し、前記通知情報は前記端末装置に前記第３ネットワーク装置及び／又は前記第４ネットワーク装置の変更情報を通知することに用いられることと、
前記通知メッセージに基づいて、前記第３ネットワーク装置及び／又は前記第４ネットワーク装置を変更することと、に用いられることを特徴とする請求項３９〜４５のいずれか１項に記載の端末装置。
【発明の詳細な説明】
【技術分野】
【０００１】
本発明の実施例は通信分野に関し、より具体的に、データ伝送方法、ネットワーク装置及び端末装置に関する。
【背景技術】
【０００２】
現在、国際標準化機構による測定内容についての検討では、各会社はデュアル接続（ＤＣ）シーンにおいて、図１に示すように、端末装置１１０が通信システムにおける第１ネットワーク装置１３０及び第２通信システムにおける第３ネットワーク装置１２０に接続され、例えば、該第１ネットワーク装置１３０がロングタームエボリューション（Ｌｏｎｇ  Ｔｅｒｍ  Ｅｖｏｌｕｔｉｏｎ、ＬＴＥ）におけるネットワーク装置であり、該第３ネットワーク装置１２０が新無線インターフェース（ＮＲ、Ｎｅｗ  Ｒａｄｉｏ）におけるネットワーク装置であることを検討している。
【０００３】
ところが、該第１ネットワーク装置１３０がＡシリーズイベント（即ち、ＬＴＥネットワーク内部の測定報告イベント）の測定結果を受信しており、且つ該第１ネットワーク装置が該第１通信システムにおける第２ネットワーク装置（図１では図示せず）に、該端末装置１１０を該第１ネットワーク装置１３０から該第２ネットワーク装置に切り替える切替要求を送信するようにトリガーするとき、該第３ネットワーク装置１２０を変更する必要があるかどうかは、本分野における早急な解決の待たれる技術課題である。
【発明の概要】
【発明が解決しようとする課題】
【０００４】
本発明はデータ伝送方法、ネットワーク装置及び端末装置を提供し、該方法は上記技術課題を解決することができる。
【課題を解決するための手段】
【０００５】
第１態様では、データ伝送方法を提供し、
第１ネットワーク装置が第１測定結果を取得し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
前記第１ネットワーク装置が第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置が前記第２ネットワーク装置に前記第１測定結果及び前記第２測定結果を送信することと、を含む。
【０００６】
本発明の実施例のデータ伝送方法によれば、端末装置は第１通信システムにおけるネットワーク装置を切り替える必要があるとき、該第２通信システムにおける第３ネットワーク装置を変更する必要があるかどうかを把握でき、更に通信環境を向上させ、ユーザー体験を向上させる。
【０００７】
いくつかの可能な実現方式では、前記第１測定結果は前記端末装置がＡシリーズイベントに基づいてトリガーした測定結果を含む。
【０００８】
いくつかの可能な実現方式では、前記第１ネットワーク装置が第２測定結果を取得することは、
前記第１ネットワーク装置が前記第１測定結果及び前記第２測定結果を同時に受信することを含む。
【０００９】
いくつかの可能な実現方式では、前記第２測定結果は前記端末装置がＢシリーズイベントに基づいてトリガーした測定結果である。
【００１０】
いくつかの可能な実現方式では、前記第１ネットワーク装置が第２測定結果を取得する前に、前記方法は更に、
前記第１ネットワーク装置が前記端末装置に指示情報を送信し、前記指示情報は前記第１ネットワーク装置に前記第２測定結果を送信するように前記端末装置に指示することに用いられることを含み、
前記第１ネットワーク装置が第２測定結果を取得することは、
前記第１ネットワーク装置は前記指示情報を送信した後、前記端末装置から送信された第２測定結果を受信することを含む。
【００１１】
いくつかの可能な実現方式では、前記第２測定結果は前記第３ネットワーク装置における全部又は一部のセルの測定結果及び／又は前記第４ネットワーク装置における全部又は一部のセルの測定結果を含む。
【００１２】
いくつかの可能な実現方式では、前記第４ネットワーク装置は前記第３ネットワーク装置に隣接する。
【００１３】
いくつかの可能な実現方式では、前記方法は更に、
前記第１ネットワーク装置が前記第２ネットワーク装置に変更要求を送信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記第２ネットワーク装置に要求することに用いられることと、
前記第１ネットワーク装置が前記第２ネットワーク装置から送信された前記変更要求の応答メッセージを受信することと、を含む。
【００１４】
いくつかの可能な実現方式では、前記方法は更に、
前記第１ネットワーク装置が前記第２ネットワーク装置に切替要求を送信し、前記切替要求は前記端末装置を前記第１ネットワーク装置から前記第２ネットワーク装置に切り替えるように前記第２ネットワーク装置に要求することに用いられ、前記切替要求が前記第１測定結果及び前記第２測定結果を含むことと、
前記第１ネットワーク装置が前記第２ネットワーク装置から送信された前記切替要求の応答メッセージを受信することと、を含む。
【００１５】
いくつかの可能な実現方式では、前記方法は更に、
前記第１ネットワーク装置が前記端末装置に通知情報を送信し、前記通知情報は前記端末装置に前記第３ネットワーク装置及び／又は前記第４ネットワーク装置の変更情報を通知することに用いられることを含む。
【００１６】
第２態様では、データ伝送方法を提供し、
第２ネットワーク装置が第１ネットワーク装置から送信された第１測定結果及び第２測定結果を受信し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第２ネットワーク装置が前記第１ネットワーク装置に前記第３ネットワーク装置及び／又は前記第４ネットワーク装置の変更情報を送信することと、を含む。
【００１７】
いくつかの可能な実現方式では、前記第２測定結果は前記第３ネットワーク装置における全部又は一部のセルの測定結果及び／又は前記第４ネットワーク装置における全部又は一部のセルの測定結果を含む。
【００１８】
いくつかの可能な実現方式では、前記第４ネットワーク装置は前記第３ネットワーク装置に隣接する。
【００１９】
いくつかの可能な実現方式では、前記方法は更に、
前記第２ネットワーク装置が前記第１ネットワーク装置から送信された変更要求を受信し、前記変更要求は前記端末装置のサービス装置を前記第３ネットワーク装置から前記第４ネットワーク装置に変更するように前記第２ネットワーク装置に要求することに用いられ、又は、前記変更要求は前記第３ネットワーク装置を解放し又は前記第４ネットワーク装置を追加するように前記第２ネットワーク装置に要求することに用いられ、又は、前記変更要求は前記第３ネットワーク装置のセルにおいて前記端末装置のサービスセルを変更するように前記第２ネットワーク装置に要求することに用いられることと、
前記第２ネットワーク装置が前記変更要求及び／又は前記第２測定結果に基づいて、前記変更要求の応答メッセージを生成することと、
前記第２ネットワーク装置が前記第１ネットワーク装置に前記変更要求の応答メッセージを送信することと、を含む。
【００２０】
いくつかの可能な実現方式では、前記方法は更に、
前記第２ネットワーク装置が前記第１ネットワーク装置から送信された切替要求を受信し、前記切替要求は前記端末装置を前記第１ネットワーク装置から前記第２ネットワーク装置に切り替えるように前記第２ネットワーク装置に要求することに用いられ、前記切替要求が前記第１測定結果及び前記第２測定結果を含むことと、
前記第２ネットワーク装置が前記第１ネットワーク装置に前記切替要求の応答メッセージを送信することと、を含む。
【００２１】
第３態様では、データ伝送方法を提供し、
端末装置が第１測定結果を取得し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
前記端末装置が第２測定結果を取得し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記端末装置が前記第１ネットワーク装置に前記第１測定結果及び前記第２測定結果を送信することと、を含む。
【００２２】
いくつかの可能な実現方式では、前記第１測定結果は前記端末装置がＡシリーズイベントに基づいてトリガーした測定結果である。
【００２３】
いくつかの可能な実現方式では、前記端末装置が前記第１ネットワーク装置に前記第１測定結果及び前記第２測定結果を送信することは、
前記端末装置が前記第１ネットワーク装置に前記第１測定結果を同時に送信するとともに、前記第１ネットワーク装置に前記第２測定結果を送信することを含む。
【００２４】
いくつかの可能な実現方式では、前記第２測定結果は前記端末装置がＢシリーズイベントに基づいてトリガーした測定結果である。
【００２５】
いくつかの可能な実現方式では、前記端末装置が前記第１ネットワーク装置に前記第１測定結果及び前記第２測定結果を送信する前に、前記方法は更に、
前記端末装置が前記第１ネットワーク装置から送信された指示情報を受信し、前記指示情報は前記第１ネットワーク装置に前記第２測定結果を送信するように前記端末装置に指示することに用いられることを含み、
前記端末装置が前記第１ネットワーク装置に前記第１測定結果及び前記第２測定結果を送信することは、
前記端末装置が前記指示情報を受信した後、前記第１ネットワーク装置に前記第２測定結果を送信することを含む。
【００２６】
いくつかの可能な実現方式では、前記第２測定結果は前記第３ネットワーク装置における全部又は一部のセルの測定結果及び／又は前記第４ネットワーク装置における全部又は一部のセルの測定結果を含む。
【００２７】
いくつかの可能な実現方式では、前記第４ネットワーク装置は前記第３ネットワーク装置に隣接する。
【００２８】
いくつかの可能な実現方式では、前記方法は更に、
前記端末装置が前記第１ネットワーク装置から送信された通知情報を受信し、前記通知情報は前記端末装置に前記第３ネットワーク装置及び／又は前記第４ネットワーク装置の変更情報を通知することに用いられることと、
前記端末装置が前記通知メッセージに基づいて、前記第３ネットワーク装置及び／又は前記第４ネットワーク装置を変更することと、を含む。
【００２９】
第４態様では、送受信ユニットを備えるネットワーク装置を提供し、前記送受信ユニットは上記第１態様及び上記第１態様のいずれか１つの可能な実現方式における方法実施例を実行することに用いられる。
【００３０】
第５態様では、送受信機を備えるネットワーク装置を提供し、前記送受信機は上記第１態様及び上記第１態様のいずれか１つの可能な実現方式における方法実施例を実行することに用いられる。
【００３１】
第６態様では、送受信ユニットを備えるネットワーク装置を提供し、前記送受信ユニットは上記第２態様及び上記第２態様のいずれか１つの可能な実現方式における方法実施例を実行することに用いられる。
【００３２】
第７態様では、送受信機を備えるネットワーク装置を提供し、前記送受信機は上記第２態様及び上記第２態様のいずれか１つの可能な実現方式における方法実施例を実行することに用いられる。
【００３３】
第８態様では、送受信ユニットを備えるネットワーク装置を提供し、前記送受信ユニットは上記第３態様及び上記第３態様のいずれか１つの可能な実現方式における方法実施例を実行することに用いられる。
【００３４】
第９態様では、送受信機を備えるネットワーク装置を提供し、前記送受信機は上記第３態様及び上記第３態様のいずれか１つの可能な実現方式における方法実施例を実行することに用いられる。
【００３５】
第１０態様では、コンピュータプログラムを記憶することに用いられるコンピュータ可読媒体を提供し、該コンピュータプログラムは上記第１態様又は第２態様又は第３態様の方法実施例を実行するための命令を含む。
【００３６】
第１１態様では、入力インターフェース、出力インターフェース、少なくとも１つのプロセッサ、メモリを備えるコンピュータチップを提供し、前記プロセッサは前記メモリにおけるコードを実行することに用いられ、前記コードが実行されるとき、前記プロセッサは上記第１態様又は第２態様のデータ伝送方法におけるネットワーク装置の実行する各過程を実現することができる。
【００３７】
第１２態様では、入力インターフェース、出力インターフェース、少なくとも１つのプロセッサ、メモリを備えるコンピュータチップを提供し、前記プロセッサは前記メモリにおけるコードを実行することに用いられ、前記コードが実行されるとき、前記プロセッサは上記第３態様及び様々な実現方式のデータ伝送方法における端末装置の実行する各過程を実現することができる。
【００３８】
第１３態様では、上記ネットワーク装置及び上記端末装置を備える通信システムを提供する。
【図面の簡単な説明】
【００３９】
【図１】図１は本発明の応用シーンの例である。
【図２】図２は本発明の実施例のデータ伝送方法の模式的なフローチャートである。
【図３】図３は本発明の実施例のネットワーク装置の模式的なブロック図である。
【図４】図４は本発明の実施例の他のネットワーク装置の模式的なブロック図である。
【図５】図５は本発明の実施例の端末装置の模式的なブロック図である。
【図６】図６は本発明の実施例の他の端末装置の模式的なブロック図である。
【発明を実施するための形態】
【００４０】
図１は本発明の実施例の応用シーンの模式図である。
【００４１】
図１に示すように、端末装置１１０は通信システムにおける第１ネットワーク装置１３０及び第２通信システムにおける第３ネットワーク装置１２０に接続され、例えば、該第１ネットワーク装置１３０はロングタームエボリューション（ＬＴＥ、Ｌｏｎｇ  Ｔｅｒｍ  Ｅｖｏｌｕｔｉｏｎ）におけるネットワーク装置であり、該第３ネットワーク装置１２０は新無線インターフェース（ＮＲ、Ｎｅｗ  Ｒａｄｉｏ）におけるネットワーク装置である。
【００４２】
ところが、該第１ネットワーク装置１３０がＡシリーズイベント（即ち、ＬＴＥネットワーク内部の測定報告イベント）の測定結果を受信しており、且つ該第１ネットワーク装置が該第１通信システムにおける第２ネットワーク装置（図１では図示せず）に該端末装置１１０を該第１ネットワーク装置１３０から該第２ネットワーク装置に切り替える切替要求を送信するようにトリガーするとき、該第３ネットワーク装置１２０を変更する必要があるかどうかの問題がある。
【００４３】
本発明の実施例はデータ伝送方法を提供し、該第２ネットワーク装置は該第１ネットワーク装置を切り替えるかどうかを判断するとともに、該第３ネットワーク装置を変更するかどうかを正確に判断することができる。
【００４４】
理解されるべきであるように、図１は本発明の実施例シーンの例であり、本発明の実施例は図１に示されるものに限らない。
【００４５】
例えば、本発明の実施例に適用される通信システムは少なくとも該第１通信システムにおける複数のネットワーク装置及び／又は該第２通信システムにおける複数のネットワーク装置を備えてもよい。
【００４６】
更に、例えば、本発明の実施例における第１通信システム及び第２通信システムは異なるが、第１通信システム及び該第２通信システムの具体的なカテゴリーを制限しない。例えば、該第１通信システム及び該第２通信システムは様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等であってもよい。
【００４７】
なお、本発明はネットワーク装置（該第１ネットワーク装置乃至第４ネットワーク装置）及び端末装置と組み合わせて各実施例を説明する。
【００４８】
ネットワーク装置とは信号を送受信するためのネットワーク側のいずれか１つのエンティティを指してよい。例えば、マシン通信（ＭＴＣ）のユーザー装置、ＧＳＭ又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡにおける基地局（ＮｏｄｅＢ）、ＬＴＥにおける発展型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってもよい。
【００４９】
端末装置１１０はいかなる端末装置であってもよい。具体的に、端末装置は無線アクセスネットワーク（ＲＡＮ、Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信することができ、アクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。例えば、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末及び５Ｇネットワークにおける端末装置等であってもよい。
【００５０】
図２は本発明の実施例のデータ伝送方法の模式的なフローチャートである。
【００５１】
図２に示すように、該方法は、
端末装置が第１測定結果及び第２測定結果を取得する２１０と、
該端末装置が第１ネットワーク装置に該第１測定結果及び該第２測定結果を送信する２２０と、
該第１ネットワーク装置が第２ネットワーク装置に該第１測定結果及び該第２測定結果を送信する２３０と、を含む。
【００５２】
要するに、端末装置は該第１測定結果及び該第２測定結果を確定してから該第１ネットワーク装置に送信し、該第１ネットワーク装置は該第２ネットワーク装置に該第１測定結果及び該第２測定結果を送信する。
【００５３】
本発明の実施例の技術案をよりよく理解するために、以下に本発明の実施例に関わる第１測定結果及び第２測定結果を説明する。
【００５４】
第１測定結果は端末装置と該第１ネットワーク装置及び第２ネットワーク装置との間の信号品質を示すことに用いられてもよい。換言すれば、該第１測定結果は、該端末装置の測定した該端末装置と該第１ネットワーク装置との間の信号品質を示すための情報と、該端末装置の測定した該端末装置と該第２ネットワーク装置との間の信号品質を示すための情報とを含む。選択肢として、該第１測定結果は、該第１ネットワーク装置が該端末装置を該第１ネットワーク装置から該第２ネットワーク装置に切り替えるかどうかを確定することに用いられてもよい。
【００５５】
なお、該第２測定結果は該端末装置と第３ネットワーク装置及び第４ネットワーク装置との間の信号品質を示すことに用いられる。換言すれば、該第２測定結果は該端末装置の測定した該端末装置と該第３ネットワーク装置との間の信号品質を示すための情報と、該端末装置の測定した該端末装置と該第４ネットワーク装置との間の信号品質を示すための情報とを含む。選択肢として、該第３ネットワーク装置は該第２測定結果を取得した後、該第１ネットワーク装置又は該第２ネットワーク装置が該第３ネットワーク装置及び／又は該第４ネットワーク装置を変更するかどうかを確定することに用いられてもよい。
【００５６】
要するに、本発明の実施例のデータ伝送方法によれば、端末装置は第１通信システムにおけるネットワーク装置を切り替える必要があるとき、該第２通信システムにおける第３ネットワーク装置を変更する必要があるかどうかを把握することができ、更に通信環境を向上させ、ユーザー体験を向上させる。
【００５７】
理解されるべきであるように、本発明の実施例において、該第１ネットワーク装置と該第２ネットワーク装置はいずれも第１通信システムに属し、該第３ネットワーク装置と該第４ネットワーク装置はいずれも第２通信システムに属し、該第１通信システムと該第２通信システムは異なる通信システムである。
【００５８】
以下、本発明の実施例における端末装置が該第１ネットワーク装置に該第１測定結果及び第２測定結果を送信する実現方式を説明する。
【００５９】
一実施例において、該第１測定結果は該端末装置がＡシリーズイベントに基づいてトリガーした測定結果である。
【００６０】
具体的に、該第１測定結果はＬＴＥにおけるＡシリーズイベント（Ａ１／Ａ２／Ａ３／Ａ４／Ａ５）によりトリガーした測定結果であってもよい。例えば、Ａ３イベントを例とすると、Ａ３イベントとは同一周波数／異なる周波数隣接セル品質がサービスセル品質より一定の閾値高いことを指し、Ａ３は同一周波数／異なる周波数間切替要求を開始することに用いられる。
【００６１】
より具体的に、トリガー条件はＭｎ＋Ｏｆｎ＋Ｏｃｎ−Ｈｙｓ＞Ｍｓ＋Ｏｆｓ＋Ｏｃｓ＋Ｏｆｆである。
【００６２】
ここで、Ｍｎは隣接セル測定結果を示し、Ｍｓはサービスセル測定結果を示し、Ｏｆｎは隣接セル周波数の特定の周波数オフセットを示し、Ｏｆｓはサービスセル周波数の特定の周波数オフセットを示し、サービスセルと隣接セルが同一周波数である場合、一般的にＯｆｎ、Ｏｆｓを無視してもよく、Ｏｃｎは隣接セルの特定のセルオフセットを示し、Ｏｃｓはサービスセルの特定のセルオフセットを示し、Ｈｙｓは同一周波数切替幅の減衰を示し、イベントＡ３の減衰パラメータであり、Ｏｆｆは同一周波数切替オフセットであって、イベントＡ３のオフセットパラメータである。正の値を取る場合、イベントトリガーの難易度が増加し、切り替えが遅くなり、負の値を取る場合、イベントトリガーの難易度が減少し、切り替えを繰り上げる。
【００６３】
本発明の実施例において、該端末装置は該Ａ３イベントのトリガー条件を満足する場合、該第１ネットワーク装置に該第１測定結果を送信する。
【００６４】
理解されるべきであるように、上記Ａ３イベントは単に本発明の実施例の端末装置が該第１測定結果を報告する例示的な説明であり、本発明の実施例はこれに限らない。
【００６５】
以下、本発明の実施例の端末装置が該第２測定結果を報告する実現方式について説明する。
【００６６】
一実施例において、該端末装置は該第１ネットワーク装置に該第１測定結果を同時に送信するとともに、該第１ネットワーク装置に該第２測定結果を送信する。
【００６７】
例えば、該第１測定結果は該端末装置がＡシリーズイベントに基づいてトリガーした測定結果であり、すなわち該端末装置が該Ａシリーズイベントのトリガー条件を満足する場合、該第１ネットワーク装置に該第１測定結果及び該第２測定結果を送信する。
【００６８】
他の実施例において、該第２測定結果は該端末装置がＢシリーズイベントに基づいてトリガーした測定結果であってもよい。換言すれば、該端末装置が該Ｂシリーズイベント、例えばＢ１イベント又はＢ２イベントのトリガー条件を満足する場合、該第１ネットワーク装置に該第１測定結果。
【００６９】
他の実施例において、該端末装置は該第１ネットワーク装置に該第１測定結果及び該第２測定結果を送信する前に、該第１ネットワーク装置から送信された指示情報を受信してもよく、該指示情報は該第１ネットワーク装置に該第２測定結果を送信するように該端末装置に指示することに用いられ、これにより、該端末装置は前記指示情報を受信した後、該第１ネットワーク装置に該第２測定結果を送信してもよい。
【００７０】
理解されるべきであるように、本発明の実施例において、該第２測定結果は該第３ネットワーク装置における全部又は一部のセルの測定結果及び／又は該第４ネットワーク装置における全部又は一部のセルの測定結果を含む。更に、該第４ネットワーク装置は該第３ネットワーク装置に隣接してもよい。
【００７１】
なお、本発明の実施例において、該端末装置は更に該第１ネットワーク装置から送信された通知情報を受信してもよく、該通知情報は該端末装置に該第３ネットワーク装置及び／又は該第４ネットワーク装置の変更情報を通知することに用いられる。それにより、該端末装置は該通知メッセージに基づいて、該第３ネットワーク装置及び／又は該第４ネットワーク装置を変更する。
【００７２】
本発明の実施例において、以下に第１ネットワーク装置の面から第１ネットワーク装置が該第１測定結果及び第２測定結果を受信した処理過程について説明する。
【００７３】
要するに、第１ネットワーク装置は該第１測定結果及び該第２測定結果を取得し、該第１ネットワーク装置は該第２ネットワーク装置に該第１測定結果及び該第２測定結果を送信する。
【００７４】
なお、本発明の実施例における第１ネットワーク装置は該第１測定結果及び該第２測定結果を受信した後、該第２ネットワーク装置に該第１測定結果及び該第２測定結果を転送する以外に、更に該第１測定結果に基づいて該端末装置を該第１ネットワーク装置から該第２ネットワーク装置に切り替えるかどうかを確定してもよく、該第２測定結果に基づいて該第２ネットワーク装置に第３ネットワーク装置についての変更提案を送信してもよい。
【００７５】
例えば、該第１ネットワーク装置は該第２ネットワーク装置に変更要求を送信してもよく、該変更要求は該端末装置のサービス装置を該第３ネットワーク装置から該第４ネットワーク装置に変更するように該第２ネットワーク装置に要求することに用いられ、又は、該変更要求は該第３ネットワーク装置を解放し又は該第４ネットワーク装置を追加するように該第２ネットワーク装置に要求することに用いられ、又は、該変更要求は該第３ネットワーク装置のセルにおいて該端末装置のサービスセルを変更するように該第２ネットワーク装置に要求することに用いられ、更に、該第１ネットワーク装置は該第２ネットワーク装置から送信された該変更要求の応答メッセージを受信する。
【００７６】
更に、例えば、該第１ネットワーク装置は該第２ネットワーク装置に切替要求を送信し、該切替要求は該端末装置を該第１ネットワーク装置から該第２ネットワーク装置に切り替えるように該第２ネットワーク装置に要求することに用いられ、該切替要求は該第１測定結果及び該第２測定結果を含み、更に、該第１ネットワーク装置は該第２ネットワーク装置から送信された該切替要求の応答メッセージを受信する。
【００７７】
本発明の実施例において、第２ネットワーク装置にとって、該第２ネットワーク装置は該第１ネットワーク装置から送信された該第１測定結果及び該第２測定結果を受信した後、該第１測定結果及び／又は上記実施例に言及した切替要求に基づいて該端末装置を該第１ネットワーク装置から該第２ネットワーク装置に切り替えるかどうかを確定してもよく、該第２測定結果及び上記実施例に言及した変更要求に基づいて該第３ネットワーク装置及び／又は該第４ネットワーク装置を変更するかどうかを確定してもよく、例えば、該第３ネットワーク装置を削除するかことを確定し、また、該第４ネットワーク装置を追加するかを確定する。
【００７８】
図３は本発明の実施例のネットワーク装置の模式的なブロック図である。
【００７９】
図３に示すように、ネットワーク装置を提供し、送受信ユニット３１０を備え、該送受信ユニット３１０は、
第１測定結果を取得し、該第１測定結果は端末装置と該ネットワーク装置及び第２ネットワーク装置との間の信号品質を示すことに用いられ、該ネットワーク装置と該第２ネットワーク装置がいずれも第１通信システムに属することと、
第２測定結果を取得し、該第２測定結果は該端末装置と第３ネットワーク装置及び第４ネットワーク装置との間の信号品質を示すことに用いられ、該第３ネットワーク装置と該第４ネットワーク装置がいずれも第２通信システムに属し、該第１通信システムと該第２通信システムが異なる通信システムであることと、
該第２ネットワーク装置に該第１測定結果及び該第２測定結果を送信することと、に用いられる。
【００８０】
選択肢として、該第１測定結果は該端末装置がＡシリーズイベントに基づいてトリガーした測定結果を含む。
【００８１】
選択肢として、該送受信ユニット３１０は具体的に、該第１測定結果及び該第２測定結果を同時に受信することに用いられる。
【００８２】
選択肢として、該第２測定結果は該端末装置がＢシリーズイベントに基づいてトリガーした測定結果である。
【００８３】
選択肢として、該送受信ユニット３１０は具体的に、
第２測定結果を取得する前に、該端末装置に指示情報を送信し、該指示情報は該ネットワーク装置に該第２測定結果を送信するように該端末装置に指示することに用いられることと、
該指示情報を送信した後、該端末装置から送信された第２測定結果を受信することと、に用いられる。
【００８４】
選択肢として、該第２測定結果は該第３ネットワーク装置における全部又は一部のセルの測定結果及び／又は該第４ネットワーク装置における全部又は一部のセルの測定結果を含む。
【００８５】
選択肢として、該第４ネットワーク装置は該第３ネットワーク装置に隣接する。
【００８６】
選択肢として、該送受信ユニット３１０は更に、
該第２ネットワーク装置に変更要求を送信し、該変更要求は該端末装置のサービス装置を該第３ネットワーク装置から該第４ネットワーク装置に変更するように該第２ネットワーク装置に要求することに用いられ、又は、該変更要求は該第３ネットワーク装置を解放し又は該第４ネットワーク装置を追加するように該第２ネットワーク装置に要求することに用いられ、又は、該変更要求は該第３ネットワーク装置のセルにおいて該端末装置のサービスセルを変更するように該第２ネットワーク装置に要求することに用いられることと、
該第２ネットワーク装置から送信された該変更要求の応答メッセージを受信することと、に用いられる。
【００８７】
選択肢として、該送受信ユニット３１０は更に、
該第２ネットワーク装置に切替要求を送信し、該切替要求は該端末装置を該ネットワーク装置から該第２ネットワーク装置に切り替えるように該第２ネットワーク装置に要求することに用いられ、該切替要求が該第１測定結果及び該第２測定結果を含むことと、
該第２ネットワーク装置から送信された該切替要求の応答メッセージを受信することと、に用いられる。
【００８８】
選択肢として、該送受信ユニット３１０は更に、該端末装置に通知情報を送信することに用いられ、該通知情報は該端末装置に該第３ネットワーク装置及び／又は該第４ネットワーク装置の変更情報を通知することに用いられる。
【００８９】
本発明の実施例において、更に他のネットワーク装置を提供する。
【００９０】
具体的に、図３に示すように、該ネットワーク装置は送受信ユニット３１０を備え、該送受信ユニット３１０は、
第１ネットワーク装置から送信された第１測定結果及び第２測定結果を受信し、該第１測定結果は端末装置と該第１ネットワーク装置及びネットワーク装置との間の信号品質を示すことに用いられ、該第１ネットワーク装置と該ネットワーク装置がいずれも第１通信システムに属し、該第２測定結果は該端末装置と第３ネットワーク装置及び第４ネットワーク装置との間の信号品質を示すことに用いられ、該第３ネットワーク装置と該第４ネットワーク装置がいずれも第２通信システムに属し、該第１通信システムと該第２通信システムが異なる通信システムであることと、
該第１ネットワーク装置に該第３ネットワーク装置及び／又は該第４ネットワーク装置の変更情報を送信することと、に用いられる。
【００９１】
選択肢として、該第２測定結果は該第３ネットワーク装置における全部又は一部のセルの測定結果及び／又は該第４ネットワーク装置における全部又は一部のセルの測定結果を含む。
【００９２】
選択肢として、該第４ネットワーク装置は該第３ネットワーク装置に隣接する。
【００９３】
選択肢として、該送受信ユニット３１０は更に、
該第１ネットワーク装置から送信された変更要求を受信し、該変更要求は該端末装置のサービス装置を該第３ネットワーク装置から該第４ネットワーク装置に変更するように該第２ネットワーク装置に要求することに用いられ、又は、該変更要求は該第３ネットワーク装置を解放し又は該第４ネットワーク装置を追加するように該第２ネットワーク装置に要求することに用いられ、又は、該変更要求は該第３ネットワーク装置のセルにおいて該端末装置のサービスセルを変更するように該ネットワーク装置に要求することに用いられることと、
該変更要求及び／又は該第２測定結果に基づいて、該変更要求の応答メッセージを生成することと、
該第１ネットワーク装置に該変更要求の応答メッセージを送信することと、に用いられる。
【００９４】
選択肢として、該送受信ユニット３１０は更に、
該第１ネットワーク装置から送信された切替要求を受信し、該切替要求は該端末装置を該第１ネットワーク装置から該ネットワーク装置に切り替えるように該ネットワーク装置に要求することに用いられ、該切替要求が該第１測定結果及び該第２測定結果を含むことと、
該第１ネットワーク装置に該切替要求の応答メッセージを送信することと、に用いられる。
【００９５】
なお、送受信ユニット３１０又は送受信ユニット５１０は送受信機により実現されてもよい。図４に示すように、ネットワーク装置４００はプロセッサ４１０、送受信機４２０及びメモリ４３０を備えてもよい。メモリ４３０は指示情報を記憶することに用いられてもよく、プロセッサ４１０の実行するコード、命令等を記憶することに用いられてもよい。ネットワーク装置４００における各コンポーネントはバスシステムによって接続され、バスシステムはデータバスのほか、更に電源バス、制御バス及び状態信号バスを含む。
【００９６】
図４に示されるネットワーク装置４００は上記図２の方法実施例におけるネットワーク装置の実現する各過程を実現することができ、重複を避けるため、ここで繰り返して説明しない。
【００９７】
図５は本発明の実施例の端末装置の模式的なブロック図である。
【００９８】
図５に示すように、該端末装置５００は送受信ユニット５１０を備え、該送受信ユニット５１０は、
第１測定結果を取得し、該第１測定結果は端末装置と該第１ネットワーク装置及び第２ネットワーク装置との間の信号品質を示すことに用いられ、該第１ネットワーク装置と該第２ネットワーク装置がいずれも第１通信システムに属することと、
第２測定結果を取得し、該第２測定結果は該端末装置と第３ネットワーク装置及び第４ネットワーク装置との間の信号品質を示すことに用いられ、該第３ネットワーク装置と該第４ネットワーク装置がいずれも第２通信システムに属し、該第１通信システムと該第２通信システムが異なる通信システムであることと、
該第１ネットワーク装置に該第１測定結果及び該第２測定結果を送信することと、に用いられる。
【００９９】
選択肢として、該第１測定結果は該端末装置がＡシリーズイベントに基づいてトリガーした測定結果である。
【０１００】
選択肢として、該送受信ユニット５１０は具体的に、
該第１ネットワーク装置に該第１測定結果を同時に送信するとともに、該第１ネットワーク装置に該第２測定結果を送信することに用いられる。
【０１０１】
選択肢として、該第２測定結果は該端末装置がＢシリーズイベントに基づいてトリガーした測定結果である。
【０１０２】
選択肢として、該送受信ユニット５１０は具体的に、
該第１ネットワーク装置に該第１測定結果及び該第２測定結果を送信する前に、該第１ネットワーク装置から送信された指示情報を受信し、該指示情報は該第１ネットワーク装置に該第２測定結果を送信するように該端末装置に指示することに用いられることと、
前記指示情報を受信した後、該第１ネットワーク装置に該第２測定結果を送信することと、に用いられる。
【０１０３】
選択肢として、該第２測定結果は該第３ネットワーク装置における全部又は一部のセルの測定結果及び／又は該第４ネットワーク装置における全部又は一部のセルの測定結果を含む。
【０１０４】
選択肢として、該第４ネットワーク装置は該第３ネットワーク装置に隣接する。
【０１０５】
選択肢として、該送受信ユニット５１０は更に、
該第１ネットワーク装置から送信された通知情報を受信し、該通知情報は該端末装置に該第３ネットワーク装置及び／又は該第４ネットワーク装置の変更情報を通知することに用いられることと、
該通知メッセージに基づいて、該第３ネットワーク装置及び／又は該第４ネットワーク装置を変更することと、に用いられる。
【０１０６】
なお、送受信ユニット５１０は送受信機により実現されてもよい。図６に示すように、端末装置６００はプロセッサ６１０、送受信機６２０及びメモリ６３０を備えてもよい。メモリ６３０は指示情報を記憶することに用いられてもよく、プロセッサ６１０の実行するコード、命令等を記憶することに用いられてもよい。端末装置６００における各コンポーネントはバスシステムによって接続され、バスシステムはデータバスのほか、更に電源バス、制御バス及び状態信号バスを含む。
【０１０７】
図６に示される端末装置６００は上記図２における方法実施例における端末装置の実現する各過程を実現することができ、重複を避けるため、ここで繰り返して説明しない。すなわち、本発明の実施例における方法実施例はプロセッサに適用されてもよく、プロセッサにより実現されてもよい。
【０１０８】
実現過程において、本発明の実施例における方法実施例の各ステップはプロセッサにおけるハードウェアの集積論理回路又はソフトウェア形式の命令で行われてもよい。より具体的に、本発明の実施例に開示される方法のステップはハードウェア復号プロセッサで実行して完成し、又は復号プロセッサにおけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１０９】
プロセッサは信号処理能力を有する集積回路チップである可能性があり、本発明の実施例に開示される各方法、ステップ及び論理ブロックを実現又は実行することができる。例えば、上記プロセッサは汎用プロセッサ、デジタルシグナルプロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。なお、汎用プロセッサはマイクロプロセッサであってもよく、又は該プロセッサはいかなる通常のプロセッサ等であってもよい。
【０１１０】
なお、本発明の実施例において、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってもよい。理解されるべきであるように、上記メモリは例示的な説明であって制限的ではなく、例えば、本発明の実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本明細書に説明されるシステム及び方法のメモリはこれらのメモリ及び任意の他の適切なタイプのメモリを含んでもよいが、それらに限らないように意図されるものである。
【０１１１】
なお、本発明の実施例及び添付の特許請求の範囲に使用される用語は特定の実施例を説明するためのものであり、本発明の実施例を制限するためのものではない。
【０１１２】
例えば、上下の文脈において他の意味を明確に示していない限り、本発明の実施例及び添付の特許請求の範囲に使用される単数形式の「１つ」、「前記」及び「該」は複数形式も含むように意図されている。
【０１１３】
更に、例えば、コンテクストによって、ここで使用される用語「○○時」は「○○であれば」又は「○○場合」又は「○○際」又は「確定に応答する」又は「検出に応答する」と解釈されてもよい。それと似ていて、コンテクストによって、連語「確定すれば」又は「（陳述した条件又はイベントを）検出すれば」は「確定する時」又は「確定に応答する」又は「（陳述した条件又はイベントを）検出する時」又は「（陳述した条件又はイベントの）検出に応答する」と解釈されてもよい。
【０１１４】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【０１１５】
当業者であれば明確に理解できるように、説明を容易且つ簡単にするために、上記説明されるシステム、装置及びユニットの具体的な動作過程は、前述の方法実施例における対応過程を参照してもよく、ここで繰り返して説明しない。
【０１１６】
本願に係るいくつかの実施例において、理解されるべきであるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば、複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１７】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本発明の実施例の目的を実現してもよい。
【０１１８】
また、本発明の実施例において、各機能ユニットは１つの処理ユニットに統合されてもよく、各ユニットは独立して物理的に存在してもよく、２つ又は２つ以上のユニットは１つのユニットに統合されてもよい。
【０１１９】
ソフトウェア機能ユニットの形式で実現され、独立した製品として販売又は使用されるときは、１つのコンピュータ可読記憶媒体に記憶されてもよい。このような理解に基づき、本発明の実施例の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０１２０】
以上の説明は本発明の実施例の具体的な実施形態に過ぎず、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。従って、本発明の実施例の保護範囲は特許請求の範囲に準じるべきである。
【図１】
2021502723.tif 000003
【図２】
2021502723.tif 000004
【図３】
2021502723.tif 000005
【図４】
2021502723.tif 000006
【図５】
2021502723.tif 000007
【図６】
2021502723.tif 000008
【手続補正書】
【提出日】令和2年9月17日(2020.9.17)
【手続補正１】
【補正対象書類名】明細書
【補正対象項目名】０００２
【補正方法】変更
【補正の内容】
【０００２】
現在、国際標準化機構による測定内容についての検討では、各会社はデュアル接続（ＤＣ）シーンにおいて、図１に示すように、端末装置１１０が第１通信システムにおける第１ネットワーク装置１３０及び第２通信システムにおける第３ネットワーク装置１２０に接続され、例えば、該第１ネットワーク装置１３０がロングタームエボリューション（Ｌｏｎｇ  Ｔｅｒｍ  Ｅｖｏｌｕｔｉｏｎ、ＬＴＥ）におけるネットワーク装置であり、該第３ネットワーク装置１２０が新無線インターフェース（ＮＲ、Ｎｅｗ  Ｒａｄｉｏ）におけるネットワーク装置であることを検討している。
【手続補正２】
【補正対象書類名】明細書
【補正対象項目名】００１５
【補正方法】変更
【補正の内容】
【００１５】
いくつかの可能な実現方式では、前記方法は更に、
前記第１ネットワーク装置が前記端末装置に通知メッセージを送信し、前記通知メッセージは前記端末装置に前記第３ネットワーク装置及び／又は前記第４ネットワーク装置の変更情報を通知することに用いられることを含む。
【手続補正３】
【補正対象書類名】明細書
【補正対象項目名】００２８
【補正方法】変更
【補正の内容】
【００２８】
いくつかの可能な実現方式では、前記方法は更に、
前記端末装置が前記第１ネットワーク装置から送信された通知メッセージを受信し、前記通知メッセージは前記端末装置に前記第３ネットワーク装置及び／又は前記第４ネットワーク装置の変更情報を通知することに用いられることと、
前記端末装置が前記通知メッセージに基づいて、前記第３ネットワーク装置及び／又は前記第４ネットワーク装置を変更することと、を含む。
【手続補正４】
【補正対象書類名】明細書
【補正対象項目名】００３３
【補正方法】変更
【補正の内容】
【００３３】
第８態様では、送受信ユニットを備える端末装置を提供し、前記送受信ユニットは上記第３態様及び上記第３態様のいずれか１つの可能な実現方式における方法実施例を実行することに用いられる。
【手続補正５】
【補正対象書類名】明細書
【補正対象項目名】００３４
【補正方法】変更
【補正の内容】
【００３４】
第９態様では、送受信機を備える端末装置を提供し、前記送受信機は上記第３態様及び上記第３態様のいずれか１つの可能な実現方式における方法実施例を実行することに用いられる。
【手続補正６】
【補正対象書類名】明細書
【補正対象項目名】００４１
【補正方法】変更
【補正の内容】
【００４１】
図１に示すように、端末装置１１０は第１通信システムにおける第１ネットワーク装置１３０及び第２通信システムにおける第３ネットワーク装置１２０に接続され、例えば、該第１ネットワーク装置１３０はロングタームエボリューション（ＬＴＥ、Ｌｏｎｇ  Ｔｅｒｍ  Ｅｖｏｌｕｔｉｏｎ）におけるネットワーク装置であり、該第３ネットワーク装置１２０は新無線インターフェース（ＮＲ、Ｎｅｗ  Ｒａｄｉｏ）におけるネットワーク装置である。
【手続補正７】
【補正対象書類名】明細書
【補正対象項目名】００４６
【補正方法】変更
【補正の内容】
【００４６】
更に、例えば、本発明の実施例における第１通信システム及び第２通信システムは異なるが、第１通信システム及び該第２通信システムの具体的なカテゴリーを制限しない。例えば、該第１通信システム及び該第２通信システムは様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、ＬＴＥ時分割複信（ＴＤＤ、Ｔｉｍｅ  Ｄｉｖｉｓｉｏｎ  Ｄｕｐｌｅｘ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等であってもよい。
【手続補正８】
【補正対象書類名】明細書
【補正対象項目名】００７１
【補正方法】変更
【補正の内容】
【００７１】
なお、本発明の実施例において、該端末装置は更に該第１ネットワーク装置から送信された通知メッセージを受信してもよく、該通知メッセージは該端末装置に該第３ネットワーク装置及び／又は該第４ネットワーク装置の変更情報を通知することに用いられる。それにより、該端末装置は該通知メッセージに基づいて、該第３ネットワーク装置及び／又は該第４ネットワーク装置を変更する。
【手続補正９】
【補正対象書類名】明細書
【補正対象項目名】００８８
【補正方法】変更
【補正の内容】
【００８８】
選択肢として、該送受信ユニット３１０は更に、該端末装置に通知メッセージを送信することに用いられ、該通知メッセージは該端末装置に該第３ネットワーク装置及び／又は該第４ネットワーク装置の変更情報を通知することに用いられる。
【手続補正１０】
【補正対象書類名】明細書
【補正対象項目名】０１０５
【補正方法】変更
【補正の内容】
【０１０５】
選択肢として、該送受信ユニット５１０は更に、
該第１ネットワーク装置から送信された通知メッセージを受信し、該通知メッセージは該端末装置に該第３ネットワーク装置及び／又は該第４ネットワーク装置の変更情報を通知することに用いられることと、
該通知メッセージに基づいて、該第３ネットワーク装置及び／又は該第４ネットワーク装置を変更することと、に用いられる。
【手続補正１１】
【補正対象書類名】特許請求の範囲
【補正対象項目名】全文
【補正方法】変更
【補正の内容】
【特許請求の範囲】
【請求項１】
第１ネットワーク装置が第１測定結果を受信し、前記第１測定結果は端末装置と前記第１ネットワーク装置及び／又は第２ネットワーク装置との間の信号品質を示すことに用いられ、前記第１ネットワーク装置と前記第２ネットワーク装置がいずれも第１通信システムに属することと、
前記第１ネットワーク装置が第２測定結果を受信し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置が前記第２ネットワーク装置に前記第１測定結果及び前記第２測定結果を送信することと、を含むことを特徴とするデータ伝送方法。
【請求項２】
前記第２測定結果は前記端末装置がＢシリーズイベントに基づいてトリガーした測定結果であることを特徴とする請求項１に記載の方法。
【請求項３】
前記第１ネットワーク装置が第２測定結果を受信する前に、前記方法は更に、
前記第１ネットワーク装置が前記端末装置に指示情報を送信し、前記指示情報は前記第１ネットワーク装置に前記第２測定結果を送信するように前記端末装置に指示することに用いられることを含み、
前記第１ネットワーク装置が第２測定結果を受信することは、
前記第１ネットワーク装置は前記指示情報を送信した後、前記端末装置から送信された第２測定結果を受信することを含むことを特徴とする請求項１に記載の方法。
【請求項４】
前記第２測定結果は前記第３ネットワーク装置における全部又は一部のセルの測定結果及び／又は前記第４ネットワーク装置における全部又は一部のセルの測定結果を含むことを特徴とする請求項１〜３のいずれか１項に記載の方法。
【請求項５】
端末装置が第１測定結果を受信し、前記第１測定結果は端末装置と第１ネットワーク装置及び／又は第２ネットワーク装置との間の信号品質を示すことに用いられ、前記第１ネットワーク装置と前記第２ネットワーク装置がいずれも第１通信システムに属することと、
前記端末装置が第２測定結果を受信し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記端末装置が前記第１ネットワーク装置に前記第１測定結果及び前記第２測定結果を送信することと、を含むことを特徴とするデータ伝送方法。
【請求項６】
前記第２測定結果は前記端末装置がＢシリーズイベントに基づいてトリガーした測定結果であることを特徴とする請求項５に記載の方法。
【請求項７】
前記端末装置が前記第１ネットワーク装置に前記第１測定結果及び前記第２測定結果を送信する前に、前記方法は更に、
前記端末装置が前記第１ネットワーク装置から送信された指示情報を受信し、前記指示情報は前記第１ネットワーク装置に前記第２測定結果を送信するように前記端末装置に指示することに用いられることを含み、
前記端末装置が前記第１ネットワーク装置に前記第１測定結果及び前記第２測定結果を送信することは、
前記端末装置が前記指示情報を受信した後、前記第１ネットワーク装置に前記第２測定結果を送信することを含むことを特徴とする請求項５に記載の方法。
【請求項８】
前記第２測定結果は前記第３ネットワーク装置における全部又は一部のセルの測定結果及び／又は前記第４ネットワーク装置における全部又は一部のセルの測定結果を含むことを特徴とする請求項５〜７のいずれか１項に記載の方法。
【請求項９】
ネットワーク装置であって、送受信ユニットを備え、前記送受信ユニットは、
第１測定結果を受信し、前記第１測定結果は端末装置と前記ネットワーク装置及び／又は第２ネットワーク装置との間の信号品質を示すことに用いられ、前記ネットワーク装置と前記第２ネットワーク装置がいずれも第１通信システムに属することと、
第２測定結果を受信し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第２ネットワーク装置に前記第１測定結果及び前記第２測定結果を送信することと、に用いられることを特徴とするネットワーク装置。
【請求項１０】
前記送受信ユニットは具体的に、
第２測定結果を取得する前に、前記端末装置に指示情報を送信し、前記指示情報は前記ネットワーク装置に前記第２測定結果を送信するように前記端末装置に指示することに用いられることと、
前記指示情報を送信した後、前記端末装置から送信された第２測定結果を受信することと、に用いられることを特徴とする請求項９に記載のネットワーク装置。
【請求項１１】
前記第２測定結果は前記第３ネットワーク装置における全部又は一部のセルの測定結果及び／又は前記第４ネットワーク装置における全部又は一部のセルの測定結果を含むことを特徴とする請求項９又は１０に記載のネットワーク装置。
【請求項１２】
端末装置であって、送受信ユニットを備え、前記送受信ユニットは、
第１測定結果を受信し、前記第１測定結果は端末装置と第１ネットワーク装置及び／又は第２ネットワーク装置との間の信号品質を示すことに用いられ、前記第１ネットワーク装置と前記第２ネットワーク装置がいずれも第１通信システムに属することと、
第２測定結果を受信し、前記第２測定結果は前記端末装置と第３ネットワーク装置及び／又は第４ネットワーク装置との間の信号品質を示すことに用いられ、前記第３ネットワーク装置と前記第４ネットワーク装置がいずれも第２通信システムに属し、前記第１通信システムと前記第２通信システムが異なる通信システムであることと、
前記第１ネットワーク装置に前記第１測定結果及び前記第２測定結果を送信することと、に用いられることを特徴とする端末装置。
【請求項１３】
前記第２測定結果は前記端末装置がＢシリーズイベントに基づいてトリガーした測定結果であることを特徴とする請求項１２に記載の端末装置。
【請求項１４】
前記送受信ユニットは具体的に、
前記第１ネットワーク装置に前記第１測定結果及び前記第２測定結果を送信する前に、前記第１ネットワーク装置から送信された指示情報を受信し、前記指示情報は前記第１ネットワーク装置に前記第２測定結果を送信するように前記端末装置に指示することに用いられることと、
前記指示情報を受信した後、前記第１ネットワーク装置に前記第２測定結果を送信することと、に用いられることを特徴とする請求項１２に記載の端末装置。
【請求項１５】
前記第２測定結果は前記第３ネットワーク装置における全部又は一部のセルの測定結果及び／又は前記第４ネットワーク装置における全部又は一部のセルの測定結果を含むことを特徴とする請求項１２〜１４のいずれか１項に記載の端末装置。
【国際調査報告】
2021502723.tif 000009
2021502723.tif 000010
2021502723.tif 000011
2021502723.tif 000012